(57)【要約】【課題】  光学式ピックアップによりディスクに信号を記録することが出来る光ディスク記録再生装置のレーザー出力設定方法を提供する。【解決手段】  ディスクに設けられている試し書き領域にレーザー出力を変更しながらテスト信号を記録するとともに記録されたテスト信号の再生特性に基づいて記録動作を行うレーザー出力を設定するように構成された光ディスク記録再生装置のレーザー出力設定方法であり、試し書き領域へのテスト信号の記録動作を開始するとき、光学式ピックアップの温度を検出し、検出された温度に基いて記録開始時のレーザー出力値を設定する。【選択図】    図１
2005190535.tif 000002
【特許請求の範囲】
【請求項１】
ディスクに設けられている試し書き領域にレーザー出力を変更しながらテスト信号を記録するとともに記録されたテスト信号の再生特性に基づいて記録動作を行うレーザー出力を設定するように構成された光ディスク記録再生装置のレーザー出力設定方法であり、試し書き領域へのテスト信号の記録動作を開始するとき、光学式ピックアップの温度を検出し、検出された温度に基いて記録開始時のレーザー出力値を設定するようにしたことを特徴とする光ディスク記録再生装置のレーザー出力設定方法。
【請求項２】
検出された温度が所定の温度より低いとき、テスト信号の記録開始時のレーザー出力値を所定の温度以上のとき設定される標準値より所定値増加させるようにしたことを特徴とする請求項１に記載のレーザー出力設定方法。
【請求項３】
光学式ピックアップの温度を検出する検出素子をレーザーダイオードに近接して設けたことを特徴とする請求項１に記載のレーザー出力設定方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置のレーザー出力設定方法に関する。
【背景技術】
【０００２】
光学式ピックアップを用いてディスクに記録されている信号の読み出し動作を行うディスクプレーヤーが普及しているが、再生機能に加えて光学式ピックアップより照射されるレーザー光によってディスクに信号を記録することが出来るように構成された光ディスク記録再生装置が商品化されている。
【０００３】
光ディスク記録再生装置では、ディスクの特性に最適なレーザー出力によって信号の記録動作を行う必要があるため、ディスクの内周側に試し書き領域と呼ばれる領域が設けられている。光ディスク記録再生装置は、斯かる試し書き領域にテスト信号をレーザーの出力を変更させながら記録し、記録されたテスト信号の特性からディスクの特性に合致したレーザー出力を設定するように構成されている(例えば、特許文献１参照。)。
【特許文献１】特開２００３−６８６６号公報
【発明の開示】
【発明が解決しようとする課題】
【０００４】
書き換え可能な光ディスク記録再生装置では、ホストであるコンピューター装置から出力される記録命令信号に従って信号の記録動作を行うように構成されているが、記録動作を行う前にディスクに設けられている試し書き領域にテスト信号を記録することによって光学式ピックアップから照射されるレーザー光の出力を設定するように構成されている。
【０００５】
書き換え可能な光ディスク記録再生装置において、レーザー出力の設定動作は、試し書き領域にレーザー出力を変更しながら記録し、その記録されたテスト信号を再生し、再生される信号の出力に対する振幅の変化値であるγ値を検出することによって行うように構成されている。
【０００６】
斯かるテスト信号の記録動作は、所定のレーザー出力値から徐々にレーザー出力値を増加させることによって行われる。レーザー出力値を所定値から徐々に増加させながらテスト信号の記録動作を行い、記録されたテスト信号を再生することによってγ値を測定し、そのγ値が所望の値になるときのレーザー出力値を記録動作に適したレーザー出力値として設定するようにされているが、光学式ピックアップの温度が低い場合には、γ値の変動が大きくなり、レーザー出力の設定を正確に行うことが出来ないという問題がある。
【０００７】
本発明は、斯かる問題を解決することが出来る光ディスク記録再生装置のレーザー出力設定方法を提供しようとするものである。
【課題を解決するための手段】
【０００８】
本発明は、ディスクに設けられている試し書き領域にレーザー出力を変更しながらテスト信号を記録するとともに記録されたテスト信号の再生特性に基づいて記録動作を行うレーザー出力を設定するように構成された光ディスク記録再生装置のレーザー出力設定方法であり、試し書き領域へのテスト信号の記録動作を開始するとき、光学式ピックアップの温度を検出し、検出された温度に基いて記録開始時のレーザー出力値を設定するように構
成されている。
【発明の効果】
【０００９】
本発明は、ディスクに設けられている試し書き領域へのテスト信号の記録動作を開始するとき、光学式ピックアップの温度を検出し、検出された温度に基いて記録開始時のレーザー出力値を設定するようにしたので、γ値の変化を抑えたテスト信号の記録動作を行うことが出来、その結果正確なレーザー出力の設定を行うことが出来る。
【００１０】
また、本発明は、光学式ピックアップの温度を検出する検出素子をレーザーダイオードに近接して設けたので、テスト信号の記録開始時のレーザー出力値を正確に設定することが出来る。
【発明を実施するための最良の形態】
【００１１】
本発明は、ディスクの内周側に設けられている試し書き領域にテスト信号を記録することによってレーザー出力の設定を行うようにしたものである。
【実施例１】
【００１２】
図１は本発明に係る光ディスク記録再生装置の一実施例を示す回路図であり、同図において、１はスピンドルモーター(図示せず)によって回転駆動されるターンテーブル(図示せず)に載置されるディスクであり、内周側にレーザー出力の設定動作を行う場合に使用される試し書き領域が設けられている。
【００１３】
前記ディスク１には、ディスク上の位置を示す位置情報データがプリグルーブと呼ばれる蛇行した溝によって記録されており、光ディスク記録再生装置では、この溝より得られるウォブル信号に基いて信号の記録再生動作や信号の記録位置の認識動作を行うように構成されている。２はディスク１に照射されるレーザー光を放射するレーザーダイオード３及び該レーザーダイオード３から放射されるレーザー光の発光量をモニターするモニター用ダイオード(図示せず)が組み込まれているとともにディスク１の信号面から反射されるレーザー光を受ける光検出器４が組み込まれている光学式ピックアップであり、ピックアップ送り用モーター(図示せず)によってディスク１の径方向に移動せしめられるように構成されている。
【００１４】
また、前記光学式ピックアップ２内には、対物レンズ(図示せず)をディスク１の面方向へ変位させるフォーカシングコイル５、対物レンズをディスク１の径方向へ変位させるトラッキングコイル６及び光学式ピックアップ２の温度を検出する温度検出素子７が前記レーザーダイオード３の近傍に組み込まれている。
【００１５】
８は前記光学式ピックアップ２に組み込まれている光検出器４から得られる信号に基いてレーザーダイオード３から放射されるレーザー光をディスク１の信号面に合焦させるフォーカシング制御動作及び該レーザー光を信号面の信号トラックに追従させるトラッキング制御動作を行うピックアップ制御回路であり、トラッキングエラー信号に基づくトラッキング制御信号及びフォーカスエラー信号に基くフォーカシング制御信号を前記フォーカシングコイル５及びトラッキングコイル６に対して出力するように構成されている。
【００１６】
９は前記光学式ピックアップ２に組み込まれている光検出器４より得られるＲＦ信号が入力されるとともに該信号を増幅するＲＦ信号増幅回路であり、ＲＦ信号を出力するとともに２値化した信号を出力するように構成されている。１０は前記ＲＦ信号増幅回路９より出力される信号が入力されるとともに該信号のデジタル信号処理を行うデジタル信号処理回路であり、各種信号の復調動作を行う行うように構成されている。
【００１７】
１１は前記デジタル信号処理回路１０にて信号処理されたデジタル信号が入力される信号再生用回路であり、ディスク１に記録されている信号に対応した信号を出力するように、即ち再生される信号がオーディオ信号の場合には、アナログ信号に変換した後増幅器等に出力し、コンピューターソフトのようなデータ信号の場合にはデジタル信号のままホストとして接続されているコンピューター装置１２に出力するように構成されている。
【００１８】
１３は前記デジタル信号処理回路によって復調される各種の信号が入力されるとともに前記コンピューター装置１２から出力される命令信号に応じて種々な制御動作を行うシステム制御回路であり、ディスク１から再生される同期信号に基いて信号再生用のクロック信号等を生成するクロック信号生成回路(図示せず)が周知のように組み込まれている。１４は前記システム制御回路１３によって信号の書込み動作及び読み出し動作が制御されるバッファ用ＲＡＭであり、前記コンピューター装置１２から出力される記録信号が一時的に記憶されるとともディスク１への記録動作に伴って記憶されている信号の読み出し動作が行われるように構成されている。
【００１９】
１５は前記光学式ピックアップ２に組み込まれているレーザーダイオード３に駆動信号を供給するレーザー駆動回路、１６は記録信号をディスク１に記録するための信号をエンコードして前記レーザー駆動回路１５に供給する信号記録用回路であり、レーザー出力の設定動作時テスト信号を出力するとともにコンピューター装置１２から出力される記録信号を出力するように構成されている。
【００２０】
１７は前記システム制御回路１３によって動作が制御されるレーザー出力調整回路であり、前記レーザー駆動回路１５から出力されるレーザー出力を再生用及び記録用、そしてレーザー出力調整用に調整する作用を有している。１８は前記光学式ピックアップ２内に組み込まれている温度検出素子７から得られる信号に基いて温度を検出する温度検出回路であり、検出した温度のデータを前記システム制御回路１３に出力するように構成されている。
【００２１】
以上に説明したように本発明に係る光ディスク記録再生装置は構成されているが、次に動作について説明する。光ディスク記録再生装置の各種の動作は、コンピューター装置１２から出力される命令信号に基いて行われるが、通常の記録動作や再生動作が行われている状態では、光学式ピックアップ２に組み込まれている光検出器４より得られる信号からフォーカスエラー信号やトラッキングエラー信号が生成され、その生成されたエラー信号に基いてフォーカシング制御動作及びトラッキング制御動作を行うための制御動作がピックアップ制御回路８によって行われる。
【００２２】
前記ピックアップ制御回路８による各制御動作が行われると、該ピックアップ制御回路８よりフォーカシングコイル５及びトラッキングコイル６に対して駆動制御信号が出力される。斯かる駆動制御信号は、フォーカスエラー信号やトラッキングエラー信号のレベルを小さくする方向に対物レンズを変位させるので、光学式ピックアップ２から照射されるレーザー光をディスク１上の信号面に合焦させるフォーカシング制御動作及び信号トラックに追従させるトラッキング制御動作を行うことが出来る。
【００２３】
以上に説明したようにピックアップ制御回路８によるフォーカシング制御動作及びトラッキング制御動作は行われるが、次に斯様に構成された回路における再生動作について説明する。コンピューター装置１２から光ディスク記録再生装置を構成するシステム制御回路１３に対して再生動作を行うための命令信号が出力されると、該システム制御回路８による再生動作のための制御動作が開始される。斯かる再生動作が行われる場合には、光学式ピックアップ２に組み込まれているレーザーダイオード３には、再生動作を行うために必要なレーザー出力が得られる駆動電流がレーザー駆動回路１５より供給される。斯かる
再生用のレーザー出力は、システム制御回路１３から出力される制御信号に基づくレーザー出力調整回路１７による調整制御動作によって行われる。
【００２４】
斯かる再生動作のための制御動作が開始されると、スピンドルモーター制御回路(図示せず)によるスピンドルモーターの回転制御動作が行われるが、斯かるスピンドルモーターの回転制御動作は、ウォブル信号をデコードして得られる同期信号と基準信号生成回路(図示せず)より出力される基準信号とを比較することによりディスク１を線速度一定にて回転駆動するように行われる。斯かるディスク１の回転駆動動作は、後述する信号の記録動作時にも同様に行われる。
【００２５】
スピンドルモーターの回転制御動作は、以上の如く行われるが、信号の読み出し動作を行う光学式ピックアップ２では、前述したフォーカシング制御動作及びトラッキング制御動作が行われる。斯かる制御動作が行われる結果、光学式ピックアップ２によるディスク１からの信号の読み出し動作が開始されるが、再生動作に先立ってディスク１のリードイン領域に記録されているＴＯＣデータの読み出し動作が行われる。
【００２６】
ディスク１に記録されている信号の読み出し動作は、ＴＯＣデータに基いて光学式ピックアップ２を所望の位置に移動させることによって行われる。光学式ピックアップ２に組み込まれている光検出器４にて再生される信号は、ＲＦ信号増幅回路９に入力されて増幅されるとともに２値化されて出力されることになる。
【００２７】
前記RF信号増幅回路９から出力された２値化された信号は、デジタル信号処理回路１０に入力されてデジタル信号処理され、各種の信号が復調されることになる。前記デジタル信号処理回路１０によるデジタル信号処理が行われて情報データが抽出されると、該情報データは誤り訂正等の信号処理が行われた後、信号再生用回路１１に印加される。
【００２８】
そして、前記信号再生用回路１１は、ディスク１から読み出された情報データがオーディオ信号である場合には、アナログ信号に変換した後増幅器等に出力し、コンピューターソフトのようなデータ信号の場合にはデジタル信号のままコンピューター装置１２に出力することになる。
【００２９】
以上に説明したように本実施例における再生動作は行われるが、次にディスク１への信号の記録動作について説明する。
【００３０】
ディスク１に信号を記録する動作は、まずディスク１に設けられている試し書き領域にテスト信号を記録した後該信号を再生することにより記録動作に最適なレーザー出力を設定することから開始されるが、斯かる動作は後述する。
【００３１】
記録動作を行うために適したレーザー出力の設定動作が行われると、ディスク１に設けられているＰＭＡと呼ばれる領域に記録されている情報データ、即ち信号が記録される領域である信号記録領域に記録されている信号の位置情報等を読み出す動作が行われる。斯かる情報データを読み出すことによって信号記録領域に信号の記録動作を行うことが出来るか、また記録動作を行う位置は何処か等の認識動作が行われる。
【００３２】
斯かる認識動作が行われると、光学式ピックアップ２を記録開始位置に移動させる動作、レーザー駆動回路１５からレーザーダイオード３に対して出力される駆動信号のレベル調整動作がレーザー出力調整回路１７によって行われる。一方コンピューター装置１２から出力される記録信号は、バッファ用ＲＡＭ１４に一旦記憶されるとともにディスク１への信号の記録動作に応じて読み出されることになる。
【００３３】
前記バッファ用ＲＡＭ１４から読み出された記録信号は、信号記録用回路１６に入力されるとともに該信号記録用回路１６によりエンコード処理された後レーザー駆動回路１５に入力される。その結果、レーザー駆動回路１５から記録信号に応じた駆動信号がレーザーダイオード３に供給され、該レーザーダイオード３からレーザー光が放射される。斯かるレーザー光が放射される結果、ディスク１の信号記録領域に信号が記録されることになる。
【００３４】
以上に説明したように本実施例における信号の記録動作は行われるが、次に本発明の要旨であるレーザー出力の設定方法について説明する。斯かるレーザー出力の設定動作は、ディスク１の内周側に設けられている試し書き領域にレーザー出力値を例えば段階的に変更させながらテスト信号を記録し、その記録されたテスト信号を再生することによって行われる。ディスク１に記録されたテスト信号は、前述したように光検出器４によって電気信号に変換されてＲＦ信号増幅回路９に入力される。
【００３５】
前記ＲＦ信号増幅回路９によって増幅される信号の振幅をシステム制御回路１３によって測定し、再生されたテスト信号を記録したレーザー出力と該再生されたテスト信号の振幅の変化値からγ値を求め、そのγ値が所望の値になるレーザー出力を記録用の出力として設定する動作が行われる。
【００３６】
テスト信号の記録動作は、レーザー出力値を例えばＰ１、Ｐ２、Ｐ３〜Ｐ１０のように変更させながら行い、記録されたテスト信号を再生したとき得られるγ値が所望の値になるレーザー出力、例えばＰ３が使用されているディスク１の記録特性に最適な記録用のレーザー出力として設定されることになる。
【００３７】
前述した設定動作は、従来一般に行われているレーザー出力の設定動作であり、テスト信号の記録開始時のレーザー出力は標準値であるＰ１に固定されている。本発明は、斯かるテスト信号の記録開始時の値を標準値Ｐ１に固定しないで光学式ピックアップ２の温度に応じて変更するようにしたものである。
【００３８】
即ち、例えば、光学式ピックアップ２の温度が２０度以上である場合には、標準値であるＰ１のレーザー出力値からテスト信号の記録動作を開始させ、２０度より低い温度の場合には、Ｐ１＋αのレーザー出力値からテスト信号の記録動作を開始させるように構成されている。光学式ピックアップ２の温度が低い場合に標準のレーザー出力値Ｐ１よりαだけレベルの高いレーザー出力値が得られる駆動信号をレーザーダイオード３に供給するとγ値の変動を抑えることが出来、最適なレーザー出力の設定動作を行うことが出来る。
【００３９】
尚、本実施例では、２０度以上と２０度未満の場合に分けてテスト信号の記録開始時におけるレーザー出力値を変更するようにしたが、温度設定は種々変更することは勿論可能である。
【図面の簡単な説明】
【００４０】
【図１】本発明に係る光ディスク記録再生装置の一実施例を示す回路図である。
【符号の説明】
【００４１】
１        ディスク
２        光学式ピックアップ
３        レーザーダイオード
４        光検出器
８        ピックアップ制御回路
９        ＲＦ信号増幅回路
１０        デジタル信号処理回路
１２        コンピューター装置
１３        システム制御回路
１５        レーザー駆動回路
１７        レーザー出力調整回路
１８        温度検出回路
【図１】
2005190535.tif 000003